(57)【要約】【課題】コンテンツの再生制限情報はコンテンツ販売元事業者が管理し、鍵の有効制限情報はコンテンツ転売事業者が管理することができるコンテンツ配信方法等を提供する。【解決手段】コンテンツプロバイダサーバは、コンテンツ配信サーバへ、再生制限情報を付加したコンテンツをアップロードし、コンテンツ配信サーバは、コンテンツに対して鍵を生成し、その鍵を用いてコンテンツを暗号化する。次に、放送局サーバが、コンテンツ配信サーバへ、コンテンツの鍵に対する有効制限情報を送信する。放送局サーバは、コンテンツ配信サーバから受信した暗号化コンテンツを、端末へ放送する。端末は、コンテンツ配信サーバへ鍵要求を送信し、コンテンツ配信サーバは、再生制限情報及び有効制限情報の条件を満たしている場合のみ、端末へ、鍵を送信する。端末は、コンテンツ配信サーバから受信した鍵を用いて、放送局サーバから受信した暗号化コンテンツを復号する。【選択図】図２
2008053768.tif 000002
【特許請求の範囲】
【請求項１】
コンテンツプロバイダサーバと、放送局サーバと、コンテンツ配信サーバと、端末とを有するシステムにおけるコンテンツ配信方法であって、
前記コンテンツプロバイダサーバが、前記コンテンツ配信サーバへ、再生制限情報を付加したコンテンツを送信する第１のステップと、
前記コンテンツ配信サーバが、前記コンテンツから、再生制限情報を取得する第２のステップと、
前記コンテンツ配信サーバが、前記コンテンツに対して鍵を生成し、該鍵を用いて前記コンテンツを暗号化する第３のステップと、
前記放送局サーバが、前記コンテンツ配信サーバへ、前記コンテンツの前記鍵に対する有効制限情報を送信する第４のステップと、
前記コンテンツ配信サーバが、前記放送局サーバへ、暗号化コンテンツを送信する第５のステップと、
前記放送局サーバが、前記端末へ、前記暗号化コンテンツを放送する第６のステップと、
前記端末が、前記コンテンツ配信サーバへ、前記暗号化コンテンツに対する鍵要求を送信する第７のステップと、
前記コンテンツ配信サーバが、前記端末から前記鍵要求を受信した際に、前記再生制限情報及び前記有効制限情報の条件を満たしている場合のみ、前記端末へ、前記鍵を送信する第８のステップと、
前記端末が、前記コンテンツ配信サーバから受信した前記鍵を用いて、前記放送局サーバから受信した前記暗号化コンテンツを復号する第９のステップと
を有することを特徴とするコンテンツ配信方法。
【請求項２】
第１のサーバと、第２のサーバと、端末と通信をすることができるコンテンツ配信サーバのコンテンツ配信方法であって、
第１のサーバから、再生制限情報を付加したコンテンツを受信する第１のステップと、
前記コンテンツから、再生制限情報を取得する第２のステップと、
前記コンテンツに対して鍵を生成し、該鍵を用いて前記コンテンツを暗号化する第３のステップと、
前記第２のサーバから、前記コンテンツの前記鍵に対する有効制限情報を受信する第４のステップと、
前記第２のサーバへ、暗号化コンテンツを送信する第５のステップと、
前記端末から、前記暗号化コンテンツに対する鍵要求を受信する第６のステップと、
前記端末から前記鍵要求を受信した際に、前記再生制限情報及び前記有効制限情報の条件を満たしている場合のみ、前記端末へ、前記鍵を送信する第７のステップと
を有することを特徴とするコンテンツ配信サーバのコンテンツ配信方法。
【請求項３】
第１のサーバと、第２のサーバと、端末と通信をすることができるコンテンツ配信サーバであって、
第１のサーバから、再生制限情報を付加したコンテンツを受信するコンテンツ受信手段と、
前記コンテンツから、再生制限情報を取得する再生制限情報取得手段と、
前記コンテンツに対して鍵を生成する鍵生成手段と、
前記鍵を用いて前記コンテンツを暗号化するコンテンツ暗号化手段と、
第２のサーバから、前記コンテンツの前記鍵に対する有効制限情報を受信する鍵有効制限情報受信手段と、
第２のサーバへ、暗号化コンテンツを送信する暗号化コンテンツ送信手段と、
前記端末から、前記暗号化コンテンツに対する鍵要求を受信し、前記再生制限情報及び前記有効制限情報の条件を満たしている場合のみ、前記端末へ、前記鍵を送信する鍵送信手段と
を有することを特徴とするコンテンツ配信サーバ。
【請求項４】
前記再生制限情報は、前記コンテンツの再生可能期限であり、
前記有効制限情報は、前記鍵の有効期限である
ことを特徴とする請求項３に記載のコンテンツ配信サーバ。
【請求項５】
前記暗号化コンテンツ送信手段は、第２のサーバからコンテンツ転送要求を受信した際に、前記再生制限情報及び前記有効期限情報の条件を満たしている場合、前記暗号化コンテンツを第２のサーバへ送信することを特徴とする請求項３又は４に記載のコンテンツ配信サーバ。
【請求項６】
請求項３から５のいずれか１項に記載のコンテンツ配信サーバに対して、前記第２のサーバとして機能する放送局サーバであって、
前記コンテンツ配信サーバへ、前記有効制限情報を送信する鍵有効制限情報送信手段と、
前記コンテンツ配信サーバから、前記暗号化コンテンツを受信する放送受信手段と、
前記端末へ、前記暗号化コンテンツを放送する暗号化コンテンツ放送手段と
を有することを特徴とする放送局サーバ。
【請求項７】
請求項３から５のいずれか１項に記載のコンテンツ配信サーバと、請求項６に記載の放送局サーバと通信する端末であって、
前記放送局サーバから、前記暗号化コンテンツを受信する暗号化コンテンツ受信手段と、
前記コンテンツ配信サーバへ、前記鍵要求を送信し、その返信として前記鍵を受信する鍵要求手段と、
前記鍵を用いて、前記暗号化コンテンツを復号する復号手段と
を有することを特徴とする端末。
【発明の詳細な説明】
【技術分野】
【０００１】
本発明は、コンテンツ配信方法、コンテンツ配信サーバ、放送局サーバ及び端末に関する。
【背景技術】
【０００２】
近年、携帯電話網を介して配信された音楽、静止画像又は動画像等のデジタルコンテンツを、携帯電話機によって再生するサービスが普及している。このサービスでは、権利者によって許諾されたコンテンツが、携帯電話網に備えられたコンテンツ配信サーバから携帯電話機へ送信される。
【０００３】
図１は、従来技術におけるコンテンツ配信システムの構成図である。
【０００４】
図１によれば、コンテンツプロバイダサーバ２は、インターネット５又は専用回線を介してコンテンツ配信サーバ１に接続される。コンテンツプロバイダサーバ２は、販売すべきコンテンツを、携帯電話機での再生を制限する再生制限情報を付加して、コンテンツ配信サーバ１へ送信しアップロードする。コンテンツプロバイダサーバ２は、コンテンツの権利者から、そのコンテンツを需要者に販売することを許諾されたコンテンツ販売元事業者によって運用されている。
【０００５】
コンテンツ配信サーバ１は、携帯電話網設備として備えられ、携帯電話網６を介して、携帯電話機４と通信する。コンテンツ配信サーバ１は、コンテンツプロバイダサーバ２から、需要者へ販売すべきコンテンツを受信し、そのコンテンツを、携帯電話網６を介して、需要者の所有する携帯電話機４へ送信する。携帯電話機４は、付加されている再生制限情報に従ってコンテンツを再生する。
【０００６】
このようなシステムによれば、コンテンツ販売元事業者は、インターネット５を介してパーソナルコンピュータのような端末へコンテンツを送信するだけでなく、携帯電話網６を介して携帯電話機４へコンテンツを直接的に送信することもできる。一方、携帯電話機４を所持する需要者も、携帯電話機４を操作することにより簡単にコンテンツをダウンロードして再生することができる。
【０００７】
一方、コンテンツの提供に関して、暗号化したコンテンツのデータファイルを放送で配信し、それを復号するための鍵情報を通信で配信して、両方を受信した端末でコンテンツを復号し再生する方法が提案されている。
【０００８】
【特許文献１】特開平５−２８４４９９号公報
【特許文献２】特開平１０−１１７１７３号公報
【特許文献３】特開２００３−１７４４３９号公報
【特許文献４】特開２００４−４８６８７号公報
【特許文献５】特開２００４−１７９７５５号公報
【発明の開示】
【発明が解決しようとする課題】
【０００９】
従来技術によれば、コンテンツプロバイダサーバは、著作権管理のためにコンテンツを暗号化して配信しており、暗号化コンテンツを復号するための鍵も配信する必要がある。このとき、一般の商取引に照らせば、コンテンツ販売元事業者以外のコンテンツ転売事業者が、コンテンツを販売するサービスも考えられる。例えば、コンテンツ転売事業者としての放送事業者が、コンテンツ販売元事業者からコンテンツを買い受けて、そのコンテンツを需要者に販売することも考えられる。
【００１０】
しかしながら、従来技術によれば、コンテンツ転売事業者としての放送事業者が、コンテンツの暗号化及び鍵を管理する必要がある。コンテンツ販売元事業者としては、コンテンツの販売はコンテンツ転売事業者に任せる一方で、コンテンツの著作権管理は、自ら保持したいと考える。
【００１１】
従って、本発明は、前述したように、コンテンツを流通させる上での問題を解決することができるコンテンツ配信方法、コンテンツ配信サーバ、放送局サーバ及び端末を提供することを目的とする。
【課題を解決するための手段】
【００１２】
本発明によれば、コンテンツプロバイダサーバと、放送局サーバと、コンテンツ配信サーバと、端末とを有するシステムにおけるコンテンツ配信方法であって、
コンテンツプロバイダサーバが、コンテンツ配信サーバへ、再生制限情報を付加したコンテンツを送信する第１のステップと、
コンテンツ配信サーバが、コンテンツから、再生制限情報を取得する第２のステップと、
コンテンツ配信サーバが、コンテンツに対して鍵を生成し、該鍵を用いてコンテンツを暗号化する第３のステップと、
放送局サーバが、コンテンツ配信サーバへ、コンテンツの鍵に対する有効制限情報を送信する第４のステップと、
コンテンツ配信サーバが、放送局サーバへ、暗号化コンテンツを送信する第５のステップと、
放送局サーバが、端末へ、暗号化コンテンツを放送する第６のステップと、
端末が、コンテンツ配信サーバへ、暗号化コンテンツに対する鍵要求を送信する第７のステップと、
コンテンツ配信サーバが、端末から鍵要求を受信した際に、再生制限情報及び有効制限情報の条件を満たしている場合のみ、端末へ、鍵を送信する第８のステップと、
端末が、コンテンツ配信サーバから受信した鍵を用いて、放送局サーバから受信した暗号化コンテンツを復号する第９のステップと
を有することを特徴とする。
【００１３】
本発明によれば、第１のサーバと、第２のサーバと、端末と通信をすることができるコンテンツ配信サーバのコンテンツ配信方法であって、
第１のサーバから、再生制限情報を付加したコンテンツを受信する第１のステップと、
コンテンツから、再生制限情報を取得する第２のステップと、
コンテンツに対して鍵を生成し、該鍵を用いてコンテンツを暗号化する第３のステップと、
第２のサーバから、コンテンツの鍵に対する有効制限情報を受信する第４のステップと、
第２のサーバへ、暗号化コンテンツを送信する第５のステップと、
端末から、暗号化コンテンツに対する鍵要求を受信する第６のステップと、
端末から鍵要求を受信した際に、再生制限情報及び有効制限情報の条件を満たしている場合のみ、端末へ、鍵を送信する第７のステップと
を有することを特徴とする。
【００１４】
本発明によれば、第１のサーバと、第２のサーバと、端末と通信をすることができるコンテンツ配信サーバであって、
第１のサーバから、再生制限情報を付加したコンテンツを受信するコンテンツ受信手段と、
コンテンツから、再生制限情報を取得する再生制限情報取得手段と、
コンテンツに対して鍵を生成する鍵生成手段と、
鍵を用いてコンテンツを暗号化するコンテンツ暗号化手段と、
第２のサーバから、コンテンツの鍵に対する有効制限情報を受信する鍵有効制限情報受信手段と、
第２のサーバへ、暗号化コンテンツを送信する暗号化コンテンツ送信手段と、
端末から、暗号化コンテンツに対する鍵要求を受信し、再生制限情報及び有効制限情報の条件を満たしている場合のみ、端末へ、鍵を送信する鍵送信手段と
を有することを特徴とする。
【００１５】
本発明のコンテンツ配信サーバにおける他の実施形態によれば、
再生制限情報は、コンテンツの再生可能期限であり、
有効制限情報は、鍵の有効期限であることも好ましい。
【００１６】
本発明のコンテンツ配信サーバにおける他の実施形態によれば、
暗号化コンテンツ送信手段は、第２のサーバからコンテンツ転送要求を受信した際に、再生制限情報及び有効期限情報の条件を満たしている場合、暗号化コンテンツを第２のサーバへ送信することも好ましい。
【００１７】
本発明によれば、前述したコンテンツ配信サーバに対して、第２のサーバとして機能する放送局サーバであって、
コンテンツ配信サーバへ、有効制限情報を送信する鍵有効制限情報送信手段と、
コンテンツ配信サーバから、暗号化コンテンツを受信する放送受信手段と、
端末へ、暗号化コンテンツを放送する暗号化コンテンツ放送手段と
を有することを特徴とする。
【００１８】
本発明によれば、前述したコンテンツ配信サーバと、前述した放送局サーバと通信する端末であって、
放送局サーバから、暗号化コンテンツを受信する暗号化コンテンツ受信手段と、
コンテンツ配信サーバへ、鍵要求を送信し、その返信として鍵を受信する鍵要求手段と、
鍵を用いて、暗号化コンテンツを復号する復号手段と
を有することを特徴とする。
【発明の効果】
【００１９】
本発明のコンテンツ配信方法、コンテンツ配信サーバ、放送局サーバ及び端末によれば、コンテンツの再生制限情報はコンテンツ販売元事業者が管理し、鍵の有効制限情報はコンテンツ転売事業者が管理することができる。コンテンツ配信サーバは、コンテンツの再生制限情報と、鍵の有効制限情報とに基づいて、コンテンツ及び鍵の配信を制御するために、コンテンツ販売元事業者及びコンテンツ転売事業者の両者におけるコンテンツの再生制限の目的を達成することができる。
【００２０】
また、本発明によれば、暗号化コンテンツを復号するための暗号鍵を端末に配信するか否かを、コンテンツに付与されたコンテンツ再生制限の範囲内であることを条件に、サーバに入力する暗号鍵配信制限によって決定することができる。
【発明を実施するための最良の形態】
【００２１】
以下では、図面を用いて、本発明を実施するための最良の形態について詳細に説明する。
【００２２】
図２は、本発明におけるコンテンツ配信システムの構成図である。
【００２３】
図２のシステムは、図１と比較して、放送局サーバ３を更に備えている。放送局サーバ３は、インターネット５又は専用回線を介してコンテンツ配信サーバ１に接続される。放送局サーバ３は、例えばＢＳ（放送衛星）放送、地上波デジタル放送又はデジタルラジオ放送における放送局であって、コンテンツ転売事業者によって運用されている。また、携帯電話機４は、携帯電話網６に対する無線通信インタフェースだけでなく、放送局サーバ３から放送波を受信するための無線通信インタフェースも更に有する。
【００２４】
コンテンツプロバイダサーバ２は、再生制限情報を含むコンテンツを、コンテンツ配信サーバ１へ送信する。「再生制限情報」とは、そのコンテンツの再生を制限する情報であって、例えば「再生可能期限」である。「再生可能期限」とは、そのコンテンツが、何年何月何日まで再生が可能であるかを表す。従って、現在の年月日が、再生可能期限を越えている場合には、そのコンテンツは再生できないことを意味する。即ち、その商品（コンテンツ）の正味期限に相当する。「再生制限情報」は、「再生可能期限」に限られず、「再生可能地域」のような位置情報であってもよいし、その他の条件情報であってもよい。
【００２５】
尚、再生制限情報には、「再生可能期限」以外に、「再生可能期間」「再生可能回数」「再生開始期限」を含んでもよい。「再生可能期間」とは、需要者が、受信したそのコンテンツを最初に再生した時から、いつまで再生可能かを意味する。「再生可能回数」とは、需要者が、受信したそのコンテンツを再生可能な回数を意味する。「再生開始期限」とは、需要者が、受信したそのコンテンツを、いつまでに一度再生しなければならないかを意味する。このような「再生可能期限」以外の情報は、携帯電話機４によってコンテンツを再生する際に判定される。これら情報を用いて、携帯電話機４は、コンテンツの再生を制限することができる。
【００２６】
放送局サーバ３は、鍵の有効制限情報を、コンテンツ配信サーバ１へ送信する。「有効制限情報」とは、その鍵の有効性を制限する情報であって、例えば「有効期限」である。「有効期限」とは、何年何月何日まで、その鍵を配信できるか否かを表す。従って、現在の年月日が、有効期限を越えている場合には、鍵を配信することはできず、当然そのコンテンツは再生できないことを意味する。即ち、その商品（コンテンツ）の正味期限に相当する。「有効制限情報」は、「有効期限」に限られず、「有効可能地域」のような位置情報であってもよいし、その他の条件情報であってもよい。
【００２７】
コンテンツ配信サーバ１は、コンテンツプロバイダサーバ２からアップロードされて受信した暗号化コンテンツについてその再生制限情報及び有効期限情報の条件を満たす場合にのみ、その暗号化コンテンツを放送局サーバ３へ転送する。放送局サーバ３は、その暗号化コンテンツを携帯電話機４へ放送する。
【００２８】
また、暗号化コンテンツを放送によって受信した携帯電話機４は、携帯電話網を介してコンテンツ配信サーバ１へ鍵要求を送信する。コンテンツ配信サーバ１は、暗号化コンテンツの再生制限情報の条件を満たし、且つ、鍵の有効制限情報の条件を満たす場合にのみ、その鍵を、携帯電話機４へ送信する。携帯電話機４は、コンテンツ配信サーバ１から受信した鍵を用いて、放送局サーバ３から受信した暗号化コンテンツを復号する。
【００２９】
図３は、本発明におけるシーケンス図である。
【００３０】
（Ｓ３０１）コンテンツプロバイダサーバ２は、コンテンツをコンテンツ配信サーバ１へ送信する。送信されるコンテンツには、「再生制限情報」が付加されている。
【００３１】
（Ｓ３０２）コンテンツ配信サーバ１は、コンテンツプロバイダサーバ２からアップロードされたコンテンツを受信した際に、そのコンテンツから再生制限情報を取得してライセンスＩＤと対応付けて記憶する。そして、そのコンテンツに対して、任意の鍵を生成する。
【００３２】
（Ｓ３０３）コンテンツ配信サーバ１は、その鍵を用いて、コンテンツを暗号化する。その暗号化コンテンツは対応付けて記憶される。
【００３３】
暗号化コンテンツには、付加情報として、コンテンツ情報（著作権者名、曲名等）、ライセンスＩＤ(IDentifier)、ライセンス要求先ＵＲＬが付加される。付加情報は、平文のメタ情報である。ライセンスＩＤは、暗号化コンテンツと一意に対応付けられる。ライセンス要求先ＵＲＬ(Uniform
Resource Locator)は、その暗号化コンテンツの鍵の取得先となるコンテンツ配信サーバ１のＵＲＬを表す。
【００３４】
（Ｓ３０４）その後、放送局サーバ３は、コンテンツ配信サーバ１によって生成された鍵に対する「有効制限情報」を送信する。
【００３５】
（Ｓ３０５）次に、放送局サーバ３は、コンテンツ配信サーバ１へ、コンテンツ転送要求を送信する。コンテンツ転送要求には、ライセンスＩＤが含められ、暗号化コンテンツが特定される。
【００３６】
（Ｓ３０６）コンテンツ配信サーバ１は、コンテンツ転送要求を受信した際に、要求された暗号化コンテンツの再生制限情報及び有効制限情報の条件を満たしている場合のみ、暗号化コンテンツを放送局サーバ３へ転送する。再生制限情報が「再生可能期限」であって、現在の年月日が「再生可能期限」を越え、又は、有効制限情報が「有効期限」であって現在の年月日が「有効期限」を越えている場合には、暗号化コンテンツは放送局サーバ３へ転送されないため、結果そのコンテンツは再生できないことを意味する。この場合、コンテンツ配信サーバ１は、放送局サーバ３へ、ＮＧを表す応答を返信する。一方で、現在の年月日が、「再生可能期限」を越えていない場合には、そのコンテンツは再生できることを意味する。この場合、コンテンツ配信サーバ１は、その暗号化コンテンツを、放送局サーバ３へ送信する。
【００３７】
（Ｓ３０７）放送局サーバ３は、コンテンツ配信サーバ１から転送受信した暗号化コンテンツを、携帯電話機４へ放送する。
【００３８】
放送局サーバ３は、通常の音声放送コンテンツと同時に、コンテンツ配信サーバから転送受信した暗号化コンテンツも放送することができる。携帯電話機４が、放送局サーバ３から通常の音声放送コンテンツを受信して再生しているときに、ユーザの操作に応じて暗号化コンテンツも放送によって受信することができる。放送局サーバ３は、コンテンツ配信サーバ１から転送受信した暗号化コンテンツを放送用データに形式を変換して、携帯電話機４へ放送する。
【００３９】
（Ｓ３０８）携帯電話機４は、放送局サーバ３から受信した暗号化コンテンツを復号するために、コンテンツ配信サーバ１へ、鍵要求を送信する。この動作は、携帯電話機４を操作するユーザによってなされる。即ち、ユーザによって操作されると、携帯電話機４は、その暗号化コンテンツの付加情報のライセンス要求先ＵＲＬに基づくコンテンツ配信サーバ１に接続する。鍵要求には、その暗号化コンテンツの付加情報のライセンスＩＤが付加される。
【００４０】
（Ｓ３０９）コンテンツ配信サーバ１は、携帯電話機４から鍵要求を受信した際に、再生制限情報及び有効制限情報の条件を満たしている場合のみ、鍵を含む鍵応答を携帯電話機４へ返信する。再生制限情報が「再生可能期限」であり、有効制限情報が「有効期限」であるならば、現在の年月日が、「再生可能期限」及び「有効期限」を越えている場合には、そのコンテンツは再生できないことを意味する。この場合、コンテンツ配信サーバ１は、携帯電話機４へ、ＮＧを表す鍵応答を返信する。一方で、現在の年月日が、「再生可能期限」及び「有効期限」を越えていない場合には、そのコンテンツは再生できることを意味する。この場合、コンテンツ配信サーバ１は、そのライセンスＩＤに対応する鍵を含む鍵応答を、携帯電話機４へ返信する。
【００４１】
（Ｓ３１０）携帯電話機４は、コンテンツ配信サーバ１から鍵応答によって受信した鍵を用いて、放送局サーバ３から受信した暗号化コンテンツを復号する。
【００４２】
図４は、本発明におけるコンテンツ配信サーバの機能構成図である。
【００４３】
図４によれば、コンテンツ配信サーバ１は、コンテンツ管理サーバ部１０と、ＤＲＭサーバ部１１と、ライセンスサーバ部１２とからなる。
【００４４】
コンテンツ管理サーバ部１０は、コンテンツ受信部１０１と、コンテンツ再生制限情報取得部１０２と、コンテンツ再生制限情報記憶部１０３と、鍵有効制限情報受信部１０４と、鍵有効制限情報記憶部１０５とを有する。
【００４５】
コンテンツ受信部１０１は、コンテンツプロバイダサーバ２から、再生制限情報を付加したコンテンツを受信する。
【００４６】
コンテンツ再生制限情報取得部１０２は、コンテンツ受信部１０１によって受信されたコンテンツから、再生制限情報を取得する。再生制限情報は、例えばコンテンツの再生可能期限である。
【００４７】
コンテンツ再生制限情報記憶部１０３は、コンテンツ再生制限情報取得部１０２によって取得された再生制限情報を、ライセンスＩＤに対応付けて記憶する。
【００４８】
鍵有効制限情報受信部１０４は、放送局サーバ３から、コンテンツの鍵に対する有効制限情報を受信する。
【００４９】
鍵有効制限情報記憶部１０５は、鍵有効制限情報受信部１０４によって受信された鍵の有効制限情報を、ライセンスＩＤに対応付けて記憶する。
【００５０】
ＤＲＭ（Digital Rights Management：デジタル著作権管理）サーバ部１１は、コンテンツ暗号化部１１１と、鍵生成部１１２と、暗号化コンテンツ送信部１１３と、暗号化コンテンツ／鍵記憶部１１４と、送信決定部１１５とを有する。
【００５１】
鍵生成部１１２は、コンテンツに対して鍵を生成する。生成された鍵は、暗号化コンテンツ／鍵記憶部１１４によってライセンスＩＤに対応付けて記憶される。
【００５２】
コンテンツ暗号化部１１１は、鍵生成部１１２によって生成された鍵を用いて、コンテンツを暗号化する。
【００５３】
暗号化コンテンツ送信部１１３は、放送局サーバ３からコンテンツ転送要求を受信した際に、これを送信決定部１１５へ通知する。また、暗号化コンテンツ送信部１１３は、送信決定部１１５から送信可能の通知を受け取った際に、放送局サーバ３へ暗号化コンテンツを送信する。
【００５４】
送信決定部１１５は、暗号化コンテンツを放送局サーバ３へ送信する第１の判定と、鍵を携帯電話機４へ送信する第２の判定とをする。送信決定部１１５は、基本的に「再生制限情報」及び「有効制限情報」の条件を満たしているか否かを判定する。即ち、再生制限情報が「再生可能期限」であり、有効制限情報が「有効期限」とすると、現在の年月日が「再生可能期限」及び「有効期限」を越えていない場合に、送信可能と判定する。第１の判定によって送信可能と判定した場合、送信決定部１１５は、暗号化コンテンツを放送局サーバ３へ送信するように、暗号化コンテンツ送信部１１３へ指示する。また、第２の判定によって送信可能と判定した場合、送信決定部１１５は、鍵を携帯電話機４へ送信するように、ライセンスサーバ部１２へ指示する。
【００５５】
ライセンスサーバ部１２は、鍵送信部１２１を有する。
【００５６】
鍵送信部１２１は、携帯電話機４から、暗号化コンテンツに対する鍵要求を受信する。鍵要求に含まれるライセンスＩＤは、ＤＲＭサーバ部１１の送信決定部１１５へ通知される。また、鍵送信部１２１は、ＤＲＭサーバ部１１の送信決定部１１５によって制限情報を満たすと判定された際に、鍵を携帯電話機４へ送信する。
【００５７】
図５は、本発明における放送局サーバ及び携帯電話機の機能構成図である。
【００５８】
放送局サーバ３は、コンテンツ配信サーバ１と通信する。図５によれば、放送局サーバ３は、鍵有効制限情報送信部３０１と、暗号化コンテンツ受信部３０２と、暗号化コンテンツ記憶部３０３と、暗号化コンテンツ放送部３０４とを有する。
【００５９】
鍵有効制限情報送信部３０１は、コンテンツ配信サーバ１へ、暗号化コンテンツの鍵に対する有効制限情報を送信する。
【００６０】
暗号化コンテンツ受信部３０２は、コンテンツ配信サーバ１から、暗号化コンテンツを受信する。受信した暗号化コンテンツは、暗号化コンテンツ記憶部３０３に記憶される。
【００６１】
暗号化コンテンツ放送部３０４は、携帯電話機４へ、暗号化コンテンツを放送する。
【００６２】
携帯電話機４は、放送局サーバ３からの放送波を受信し、コンテンツ配信サーバ１と通信する。図５によれば、携帯電話機４は、放送受信部４０１と、暗号化コンテンツ記憶部４０２と、鍵要求部４０３と、復号部４０４とを有する。
【００６３】
放送受信部４０１は、放送局サーバ３から放送された暗号化コンテンツを受信する。受信された暗号化コンテンツは、暗号化コンテンツ記憶部４０２にライセンスＩＤに対応付けて記憶される。
【００６４】
鍵要求部４０３は、コンテンツ配信サーバへ、鍵要求を送信する。鍵要求は、復号したい暗号化コンテンツの付加情報のライセンス要求先ＵＲＬへ送信される。また、鍵要求は、復号したい暗号化コンテンツのライセンスＩＤを含む。そして、鍵要求部４０３は、コンテンツ配信サーバ１から、鍵を受信する。
【００６５】
復号部４０４は、鍵要求部４０３によって受信された鍵を用いて、暗号化コンテンツを復号する。
【００６６】
図６は、携帯電話機の表示画面のシーケンス図である。
【００６７】
（Ｓ６０１）携帯電話機は、デジタル放送を受信しつつ再生している。このデジタル放送は、例えば、地上波デジタル放送の１セグ方式であってもよい。携帯電話機のディスプレイには動画像が表示され、スピーカからは音声が発声される。ここで、放送データには、デジタルラジオ放送の３セグ方式でダウンロード可能なコンテンツ情報も含められる。携帯電話機を操作するユーザは、ダウンロードしたいコンテンツの操作ボタンを指示することができる。
（Ｓ６０２）ユーザによってコンテンツが指示された際に、携帯電話機は、デジタルラジオ放送の３セグ方式を用いて、放送局サーバから、暗号化コンテンツをダウンロードする。このように、データ容量の大きいコンテンツを、携帯電話網を介して受信することなく、放送波によって受信することによって、コンテンツのダウンロード時間の短縮と、携帯電話網の通信波における確保時間の短縮とにつながる。
（Ｓ６０３）携帯電話機は、放送局サーバから受信した暗号化コンテンツを、ファイルとして格納する。これら暗号化コンテンツは、サムネイル形式で表示することもでき、再生すべきコンテンツをユーザに選択させる。
（Ｓ６０４）携帯電話機は、選択された暗号化コンテンツに付加されたライセンス要求先ＵＲＬを取得する。次に、携帯電話機は、携帯電話網へ発呼して無線リンクを接続し、そのライセンス要求先ＵＲＬへアクセスする。ここで、携帯電話機は、暗号化コンテンツのライセンスＩＤを、コンテンツ配信サーバへ送信する。これにより、携帯電話機は、コンテンツ配信サーバから、その暗号化コンテンツに対応する鍵を受信する。
（Ｓ６０５）携帯電話機は、コンテンツ配信サーバから受信した鍵を用いて、放送局サーバから受信した暗号化コンテンツを復号する。このとき、携帯電話機のディスプレイには、課金情報と、鍵有効期限と、再生可能期限とが表示される。
【００６８】
最後に、本発明を用いたサービス例について説明する。
【００６９】
コンテンツプロバイダサーバを運用するコンテンツ販売元事業者は、通常、３００円／曲で音楽コンテンツを販売しているとする。配信される音楽コンテンツは、鍵を用いて暗号化されており、著作権管理がなされている。一方で、放送事業者は、販促（プロモーション）活動のために、その音楽コンテンツを、ユーザの所持する携帯電話機（携帯端末）にダウンロードしてもらいたいとする。このとき、放送事業者は、コンテンツ販売元事業者から３００円／曲で購入し、放送許諾を得て、ユーザへ２００円／曲（３００円よりも安価）で販売する。これにより、ユーザは、同じ音楽コンテンツを、安価にダウンロードすることができる。ここで、本発明によれば、コンテンツ販売元事業者がコンテンツに再生制限情報を付加し、放送事業者が鍵に有効制限情報を付加することができる。放送事業者としては、暗号化コンテンツ自体に何ら情報を付加する必要がない。また、コンテンツ販売元事業者としても、暗号化コンテンツが放送事業者によって制御される不安もない。
【００７０】
以上、詳細に説明したように、本発明のコンテンツ配信方法、コンテンツ配信サーバ、放送局サーバ及び端末によれば、コンテンツの再生制限情報はコンテンツ販売元事業者が管理し、鍵の有効制限情報はコンテンツ転売事業者が管理することができる。コンテンツ配信サーバは、コンテンツの再生制限情報と、鍵の有効制限情報とに基づいて、コンテンツ及び鍵の配信を制御するために、コンテンツ販売元事業者及びコンテンツ転売事業者の両者におけるコンテンツの再生制限の目的を達成することができる。
【００７１】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００７２】
【図１】従来技術におけるコンテンツ配信システムの構成図である。
【図２】本発明におけるコンテンツ配信システムの構成図である。
【図３】本発明におけるシーケンス図である。
【図４】本発明におけるコンテンツ配信サーバの機能構成図である。
【図５】本発明における放送局サーバ及び携帯電話機の機能構成図である。
【図６】携帯電話機の表示画面のシーケンス図である。
【符号の説明】
【００７３】
１  コンテンツ配信サーバ
１０  コンテンツ管理サーバ部
１０１  コンテンツ受信部
１０２  コンテンツ再生制限情報取得部
１０３  コンテンツ再生制限情報記憶部
１０４  鍵有効制限情報受信部
１０５  鍵有効制限情報記憶部
１１  ＤＲＭサーバ部
１１１  コンテンツ暗号化部
１１２  鍵生成部
１１３  暗号化コンテンツ送信部
１１４  暗号化コンテンツ／鍵記憶部
１１５  送信決定部
１２  ライセンスサーバ部
１２１  鍵送信部
２  コンテンツプロバイダサーバ
３  放送局サーバ
３０１  鍵有効制限情報送信部
３０２  暗号化コンテンツ受信部
３０３  暗号化コンテンツ記憶部
３０４  暗号化コンテンツ放送部
４  携帯電話機
４０１  放送受信部
４０２  暗号化コンテンツ記憶部
４０３  鍵要求部
４０４  復号部
５  インターネット
６  携帯電話網
【図１】
2008053768.tif 000003
【図２】
2008053768.tif 000004
【図３】
2008053768.tif 000005
【図４】
2008053768.tif 000006
【図５】
2008053768.tif 000007
【図６】
2008053768.tif 000008